(57)【要約】  本発明は、クレードルの非挿入型コネクタが磁力を利用して連結されるようにして、クレードルの非挿入型ポートに磁力を利用して連結された周辺器機の該当入力信号を制御手段に提供するか、または制御手段の該当出力信号を周辺器機に提供する非挿入型ポートを含んで、前記非挿入型ポートは、本体の接触面に形成されて非挿入型コネクタの接触面に具備された磁力結合部材と磁力を通じて面接触結合されるようにする磁力結合部材と、前記接触面に形成されて前記磁力結合部材らの磁力結合時に非挿入型コネクタの接触端子が非挿入接点されるようにして相互間の電源及びデータが伝送されるようにする接触端子を含む非挿入型ポートを有する。
2015505625.tif 000002
【特許請求の範囲】
【請求項１】
クレードル２００の非挿入型コネクタ２１０が磁力を利用して連結されるようにして、クレードル２００の非挿入型ポート２２０に磁力を利用して連結された周辺器機３００の該当入力信号を制御手段に提供するか、または制御手段の該当出力信号を周辺器機３００に提供する非挿入型ポート１２０を含んで、
前記非挿入型ポート１２０は、
本体の接触面(ＰＳ)に形成されて非挿入型コネクタ２１０の接触面(ＣＳ)に具備された磁力結合部材２１１と磁力を通じて面接触結合されるようにする磁力結合部材１２１と、
前記接触面(ＰＳ)に形成されて前記磁力結合部材らの磁力結合時に非挿入型コネクタ２１０の接触端子２１２が非挿入接点されるようにして、相互間の電源及びデータが伝送されるようにする接触端子１２２を含むことを特徴とする非挿入型ポートを有するタブレットＰＣ。
【請求項２】
前記非挿入型ポート１２０は、
前記接触面(ＰＳ)に形成されて前記磁力結合部材らの磁力結合による接触端子らの非挿入接点が正確になされるように非挿入型コネクタ２１０のガイド２１３がガイドされるようにするガイド１２３をさらに含むことを特徴とする請求項１に記載の非挿入型ポートを有するタブレットＰＣ。
【請求項３】
前記磁力結合部材１２１は、
磁性部材または被磁性部材のうちでいずれか一つで構成されて、
磁性部材である場合には磁石または電磁石、永久磁石のうちで少なくともいずれか一つを含んで、
被磁性部材である場合には磁性部材に磁力結合が可能な金属や強磁性体であることを特徴とする請求項１に記載の非挿入型ポートを有するタブレットＰＣ。
【請求項４】
前記接触端子１２２は、
端部が平面または凹溝を有する平面端子１２２ａと、
端部が内部に具備されたスプリングによって弾力を有するか、または端部だけが弾力を有しながら撓む弾力端子１２２ｂのうちでいずれか一つで構成されて、
前記平面端子１２２ａは接触面(ＰＳ)に形成される通孔の内部に端子が陷沒された構造または通孔の平面に対応される構造で構成されて、
前記弾力端子１２２ｂは接触面(ＰＳ)に形成される通孔の外側に端子が突き出された構造で構成されることを特徴とする請求項１に記載の非挿入型ポートを有するタブレットＰＣ。
【請求項５】
前記ガイド１２３は、
接触面(ＰＳ)に突出形成される陽刻ガイドまたは陷沒形成される陰刻ガイドであることを特徴とする請求項２に記載の非挿入型ポートを有するタブレットＰＣ。
【請求項６】
前記磁力結合部材１２１が磁石である場合には、
着磁ヨークによって単極、上下単極、２極及び４極着磁のうちで少なくともいずれか一つの方法で製造されることを特徴とする請求項３に記載の非挿入型ポートを有するタブレットＰＣ。
【請求項７】
接触面(ＰＳ)に磁力結合部材１２１と接触端子１２２で構成された非挿入型ポート１２０を有するタブレットＰＣ１００に磁力を利用して連結されるものであり、
本体の接触面(ＣＳ)に形成されて前記非挿入型ポート１２０が磁力を利用して電気的に非挿入接点されるようにする非挿入型コネクタ２１０を含んで、
前記非挿入型コネクタ２１０は、
前記磁力結合部材１２１に磁力結合される磁力結合部材２１１と、
前記磁力結合部材らの磁力結合時に前記接触端子１２２に非挿入接点される接触端子２１２を含むことを特徴とするクレードル。
【請求項８】
前記非挿入型コネクタ２１０は、
前記非挿入型ポート１２０が接触面(ＰＳ)に形成されるガイド１２３を含む場合、
前記接触面(ＣＳ)に形成されて前記磁力結合部材らの磁力結合時に前記接触端子らの非挿入接点が正確になされるように前記ガイド１２３にガイドされるガイド２１３をさらに含むことを特徴とする請求項７に記載のクレードル。
【請求項９】
前記磁力結合部材２１１は、
磁性部材または被磁性部材のうちでいずれか一つで構成されて、
磁性部材である場合には磁石または電磁石、永久磁石のうちで少なくともいずれか一つを含んで、
被磁性部材である場合には前記磁性部材に磁力結合が可能な金属や強磁性体であることを特徴とする請求項７に記載のクレードル。
【請求項１０】
前記接触端子２１２は、
端部が平面または凹溝を有する平面端子２１２ａと、
端部が内部に具備されたスプリングによって弾力を有するか、または端部だけが弾力を有しながら撓む弾力端子２１２ｂのうちでいずれか一つで構成されて、
前記平面端子２１２ａは接触面(ＣＳ)に形成される通孔の内部に端子が陷沒された構造または通孔の平面に対応される構造で構成されて、
前記弾力端子２１２ｂは接触面(ＣＳ)に形成される通孔の外側に端子が突き出された構造で構成されることを特徴とする請求項７に記載のクレードル。
【請求項１１】
前記ガイド２１３は、
接触面(ＣＳ)に突出形成される陽刻ガイドまたは陷沒形成される陰刻ガイドであることを特徴とする請求項８に記載の非挿入型ポートを有するクレードル。
【請求項１２】
接触面(ＴＳ)に前記非挿入型コネクタ２１０に内部的に連結されて電源及びデータの伝送が可能になるように構成されて、周辺器機３００の非挿入型コネクタ３１０が磁力を利用して非挿入接点されるようにする非挿入型ポート２２０をさらに含んで、
前記非挿入型ポート２２０は、
前記接触面(ＴＳ)に形成されて非挿入型コネクタ３１０の接触面(IＳ)に具備された磁力結合部材３１１と磁力を通じて面接触結合されるようにする磁力結合部材２２１と、
前記接触面(ＴＳ)に形成されて前記磁力結合部材らの磁力結合時に非挿入型コネクタ３１０の接触端子３１２が非挿入接点されるようにして相互間の電源及びデータが伝送されるようにする接触端子２２２を含むことを特徴とする請求項７に記載のクレードル。
【請求項１３】
前記非挿入型ポート２２０は、
前記接触面(ＴＳ)に形成されて前記磁力結合部材らの磁力結合による接触端子らの非挿入接点が正確になされるように非挿入型コネクタ３１０のガイド３１３がガイドされるようにするガイド２２３をさらに含むことを特徴とする請求項１２に記載のクレードル。
【請求項１４】
前記磁力結合部材２２１は、
磁性部材または被磁性部材のうちでいずれか一つで構成されて、
磁性部材である場合には磁石または電磁石、永久磁石のうちで少なくともいずれか一つを含んで、
被磁性部材である場合には前記磁性部材に磁力結合が可能な金属や強磁性体を含むことを特徴とする請求項１２に記載のクレードル。
【請求項１５】
前記接触端子２２２は、
端部が平面または凹溝を有する平面端子２２２ａと、
端部が内部に具備されたスプリングによって弾力を有するか、または端部だけが弾力を有しながら撓む弾力端子２２２ｂのうちでいずれか一つで構成されて、
前記平面端子２２２ａは接触面(ＴＳ)に形成される通孔の内部に端子が陷沒された構造または通孔の平面に対応される構造で構成されて、
前記弾力端子２２２ｂは接触面(ＴＳ)に形成される通孔の外側に端子が突き出された構造で構成されることを特徴とする請求項１２に記載のクレードル。
【請求項１６】
前記ガイド２２３は、
接触面(ＴＳ)に突出形成される陽刻ガイドまたは陷沒形成される陰刻ガイドであることを特徴とする請求項１３に記載のクレードル。
【請求項１７】
前記磁力結合部材２２１が磁石である場合には、
着磁ヨークによって単極、上下単極、２極及び多極着磁のうちで少なくともいずれか一つの方法で製造されることを特徴とする請求項１４に記載のクレードル。
【発明の詳細な説明】
【技術分野】
【０００１】
本発明は、タブレットＰＣ及びこれに連結されるクレードルに関するものであり、より詳細には、タブレットＰＣに非挿入型ポートが構成されて前記非挿入型ポートにクレードルの非挿入型コネクタが磁力を利用して非挿入接点されるようにすることができる非挿入型ポートを有するタブレットＰＣ及びこれに連結されるクレードルに関するものである。
【背景技術】
【０００２】
一般に、アイパッド(ＴＭ)、スレートＰＣ(ＴＭ)及びGALAXY Tab(ＴＭ)などのようなタブレットＰＣの下側部には周辺器機との連結機能を可能にするクレードルとの接続を可能にする開放型ポートが露出されたまま構成されている。
【０００３】
これに、開放型ポートにクレードルの挿入型コネクタが挿入接触されて、クレードルの開放型ポートに挿入型コネクタを通じて連結される該当周辺器機の利用ができるようにしている。
【０００４】
しかし、前記のようなタブレットＰＣの下側部に具備される開放型ポートまたはクレードルに具備される開放型ポートは通常に‘凹’の溝形状を有して、クレードルの挿入型コネクタと周辺器機の挿入型コネクタは通常的に‘凸’の突起形状を有するために、相互間繰り返し接触及び分離によってコネクタらの物理的接点状態が緩くなって、接点端子の接触状態が不良になるか、または分離時に前記コネクタらの接点端子が分離方向によって撓めるか、または曲がるなどの損傷や破損が発生するようになる問題点がある。
【０００５】
また、前記開放型ポートと挿入型コネクタが逆方向に結合されるか、または誤った使い方で無理な力が加えられる場合、接点端子の破損と共に接点端子に連結された印刷回路基板が破損される恐れがあり、このような場合これを入れ替らなければならない経済的な損失が発生する問題点がある。
【０００６】
また、いつも開放型ポートが開放された状態を有することで、ほこりや水などのような異物が流入される場合不安定な接続状態を惹起させて美観を低下させる問題点がある。
【発明の開示】
【発明が解決しようとする課題】
【０００７】
前記の問題点を解決するための本発明の目的は、タブレットＰＣに開放型ポートの代わりに非挿入型ポートが構成されて、前記非挿入型ポートがクレードルに構成された非挿入型コネクタに磁力を利用して非挿入接点されるようにすることができる非挿入型ポートを有するタブレットＰＣ及びこれに連結されるクレードルを提供することにある。
【０００８】
また、本発明の他の目的は、クレードルに構成された非挿入型ポートに周辺器機の非挿入型コネクタが磁力を利用して非挿入接点されるようにすることができる非挿入型ポートを有するタブレットＰＣ及びこれに連結されるクレードルを提供することにある。
【課題を解決するための手段】
【０００９】
前記の目的を達成するための本発明は、クレードルの非挿入型コネクタが磁力を利用して連結されるようにして、クレードルの非挿入型ポートに磁力を利用して連結された周辺器機の該当入力信号を制御手段に提供するか、または制御手段の該当出力信号を周辺器機に提供する非挿入型ポートを含んで、前記非挿入型ポートは本体の接触面に形成されて、非挿入型コネクタの接触面に具備された磁力結合部材と磁力を通じて面接触結合されるようにする磁力結合部材と、前記接触面に形成されて前記磁力結合部材らの磁力結合時に非挿入型コネクタの接触端子が非挿入接点されるようにして相互間の電源及びデータが伝送されるようにする接触端子を含む非挿入型ポートを有するタブレットＰＣを提供する。
【００１０】
ここで、前記非挿入型ポートは、前記接触面に形成されて前記磁力結合部材らの磁力結合による接触端子らの非挿入接点が正確になされるように非挿入型コネクタのガイドがガイドされるようにするガイドをさらに含むものが望ましい。
【００１１】
また、本発明によると、接触面に磁力結合部材と接触端子で構成された非挿入型ポートを有するタブレットＰＣに磁力を利用して連結されるものであり、本体の接触面に形成されて前記非挿入型ポートが磁力を利用して電気的に非挿入接点されるようにする非挿入型コネクタを含んで、前記非挿入型コネクタは、前記磁力結合部材に磁力結合される磁力結合部材と、該磁力結合部材らの磁力結合時に前記接触端子に非挿入接点される接触端子を含むクレードルが提供される。
【００１２】
ここで、前記非挿入型コネクタは、前記非挿入型ポートが接触面に形成されるガイドを含む場合、前記接触面に形成されて前記磁力結合部材らの磁力結合時に前記接触端子らの非挿入接点が正確になされるように前記ガイドにガイドされるガイドをさらに含むものが望ましい。
【００１３】
また、前記クレードルは、前記接触面の対向される部位の接触面に前記非挿入型コネクタに内部的に連結されて、電源及びデータの伝送が可能になるように構成されて、周辺器機の非挿入型コネクタが磁力を利用して非挿入接点されるようにする非挿入型ポートをさらに含んで、前記非挿入型ポートは前記接触面に形成されて、非挿入型コネクタの接触面に具備された磁力結合部材と磁力を通じて面接触結合されるようにする磁力結合部材と、前記接触面に形成されて前記磁力結合部材らの磁力結合時に非挿入型コネクタの接触端子が非挿入接点されるようにして、相互間の電源及びデータが伝送されるようにする接触端子と、を含むものが望ましい。
【００１４】
ここで、前記クレードルの非挿入型ポートは、前記接触面に形成されて前記磁力結合部材らの磁力結合による接触端子らの非挿入接点が正確になされるように非挿入型コネクタのガイドがガイドされるようにするガイドをさらに含むものが望ましい。
【発明の効果】
【００１５】
本発明によると、タブレットＰＣに開放型ポートの代りに非挿入型ポートが構成されて、クレードルの非挿入型コネクタが磁力を利用して前記非挿入型ポートに非挿入接点されることで、タブレットＰＣにクレードルの連結がより簡便で堅固で安定的な接触状態を維持できるようにすることができる。
【００１６】
また、タブレットＰＣの非挿入型ポートが従来の開放型ポートと異なり該当接触部位に密閉感を有しながら具備されることで、タブレットＰＣの審美感を向上させると共に開放型ポートを通じて異物が挿入されることを防止することができる。
【００１７】
また、クレードルの非挿入型ポートに周辺器機の非挿入型コネクタが磁力を利用して非挿入接点されることで、クレードルに周辺器機の連結がより簡便で堅固で安定的な接触状態を維持できるようにすることができる。
【図面の簡単な説明】
【００１８】
【図１】本発明の望ましい実施例による非挿入型ポートを有するタブレットＰＣ及びこれに連結されるクレードルを示した斜視図である。
【図２】図１のタブレットＰＣのクレードルが結合された状態を示した図面である。
【図３】図１のクレードル及びこれに連結される周辺器機を示した図面である。
【図４】図１乃至図３のタブレットＰＣとクレードル及び周辺器機において、非挿入型ポートと前記非挿入型ポートに連結される非挿入型コネクタの多様な実施例を示した図面である。
【図５】図４の非挿入型ポートと非挿入型コネクタにおいて、印刷回路基板に具備される接触端子の一実施例を示した図面である。
【発明を実施するための最良の形態】
【００１９】
以下、添付された図面を参照しながら本発明の望ましい実施例に対して詳しく説明する。
【００２０】
図１は、本発明の望ましい実施例による非挿入型ポートを有するタブレットＰＣ及びこれに連結されるクレードルを示した斜視図であり、図２は図１のタブレットＰＣがクレードルが結合された状態を示した図面であり、図３は図１のクレードル及びこれに連結される周辺器機を示した図面である。また、図４は、図１乃至図３のタブレットＰＣとクレードル及び周辺器機において、非挿入型ポートと前記非挿入型ポートに連結される非挿入型コネクタの多様な実施例を示した図面であり、図５は図４の非挿入型ポートと非挿入型コネクタにおいて、印刷回路基板に具備される接触端子の一実施例を示した図面である。
【００２１】
図１乃至図５に示されたところのように、本発明の望ましい実施例によるタブレットＰＣ１００は、無線通信を利用して連結されるキーボードや本体に構成されたタッチスクリーン、または後述されたクレードル２００に連結された周辺器機３００から入力される入力信号を処理する入力手段、本体に構成されたタッチスクリーンに該当信号の提供時にこれをディスプレイするディスプレイ手段、本体に構成されたディスクやメモリーを通じて該当信号の提供時にこれを記憶する記憶手段、前記入力信号の提供時にこれを処理するか、または該当信号をディスプレイさせるか、または該当信号をクレードル２００に連結された周辺器機３００に出力させる全般的な動作を処理する制御手段及び前記制御手段に電気的に接続されてクレードル２００の非挿入型コネクタ２１０が磁力を利用して連結されるようにしてクレードル２００の非挿入型ポート２２０に磁力を利用して連結された周辺器機３００の該当入力信号を制御手段に提供するか、または制御手段の該当出力信号を周辺器機３００に提供する非挿入型ポート１２０などを含む。
【００２２】
ここで、前記タブレットＰＣ１００において、前記制御手段による構成部らの動作制御は既に公知の技術であるので、詳細な説明は略することにして、前記タブレットＰＣ１００の非挿入型ポート１２０とクレードル２００の非挿入型コネクタ２１０の磁力を利用した電気的接続構成及びクレードル２００の非挿入型ポート２２０と周辺機器用非挿入型コネクタ３１０の磁力を利用した電気的接続構成に対して詳しく説明することにする。
【００２３】
すなわち、本発明の望ましい実施例によるタブレットＰＣ１００において、前記クレードル２００の非挿入型コネクタ２１０が磁力を利用して連結されるようにする非挿入型ポート１２０は、従来の本体に形成された開放型ポートに対応されて、本体の下側面または両側面のうちで少なくともいずれか一つの接触面(ＰＳ)にクレードル２００の非挿入型コネクタ２１０が磁力を通じて面接触されるようにする連結ポートであり、本体の接触面(ＰＳ)に形成されて非挿入型コネクタ２１０の接触面(ＣＳ)に具備された磁力結合部材２１１と磁力を通じて面接触結合されるようにする磁力結合部材１２１、前記接触面(ＰＳ)に形成されて前記磁力結合部材らの磁力結合時に非挿入型コネクタ２１０の接触端子２１２が非挿入接点されるようにして、相互間の電源及びデータが伝送されるようにする接触端子１２２及び前記接触面(ＰＳ)に形成されて前記磁力結合部材らの磁力結合による接触端子らの非挿入接点が正確になされるように非挿入型コネクタ２１０のガイド２１３がガイドされるようにするガイド１２３を含む。
【００２４】
一方、本発明のタブレットＰＣ１００の非挿入型ポート１２０に連結されるクレードル２００の非挿入型コネクタ２１０は、前記非挿入型ポート１２０に磁力を通じて面接触されるようにするコネクタであり、クレードル２００の接触面(ＣＳ)に形成されて、前記磁力結合部材１２１に磁力結合される磁力結合部材２１１、前記接触面(ＣＳ)に形成されて前記磁力結合部材らの磁力結合時に前記接触端子１２２に非挿入接点されて、相互間の電源及びデータが伝送されるようにする接触端子２１２及び前記接触面(ＣＳ)に形成されて、前記磁力結合部材らの磁力結合による接触端子らの非挿入接点が正確になされるように前記ガイド１２３にガイドされるガイド２１３を含む。
【００２５】
前記磁力結合部材１２１は、本体の接触面(ＰＳ)に形成されて非挿入型コネクタ２１０の接触面(ＣＳ)に具備された磁力結合部材２１１との磁力を通じて面接触結合されるようにする結合部材であり、前記本体の接触面(ＰＳ)に多様な形状と面積を有しながら位置されることができるが、例えば、図４に示されたところのように、前記接触端子１２２とガイド１２３部分を除いた接触面(ＰＳ)の面積に対応される面積を有するか、または、接触端子１２２とガイド１２３の一側に該当面積を有しながら具備されるか、または、ガイド１２３と一体で具備されることができる。
【００２６】
ここで、前記磁力結合部材１２１、２１１は、磁性部材または被磁性部材のうちでいずれか一つで構成されるが、磁性部材である場合には磁石または電磁石、永久磁石、単極または多極着磁のうちで少なくともいずれか一つのものが望ましくて、被磁性部材である場合には前記磁性部材に磁力結合が可能な金属や強磁性体を含むものが望ましい。
【００２７】
これに、前記磁力結合部材１２１は、クレードル２００の非挿入型コネクタ２１０の磁力結合部材２１１が磁性部材である場合には相互間の磁力を通じて結合されることができるように前記磁性部材に対して引力を有する磁性部材であるか、または被磁性部材であるものが望ましくて、前記磁力結合部材２１１が被磁性部材である場合には相互間の磁力を通じて結合されることができるように磁性部材であるものが望ましい。
【００２８】
一方、前記磁力結合部材１２１、３１１が磁石である場合には磁石を物理的に分けないで着磁ヨークという設備を通じて上下単極、２極及び４極着磁で製造して多様な個数の極性を有するようにすることができて、また、金属体が該当磁石の背面部または左右側部または上下側部のうちで少なくともいずれか１ヶ所に位置されて、磁力の直進性確保を通じた磁力向上ができるようにすることもでき、磁石らの間の磁力結合時に該当極性どうしだけが結合されるようにして、前記非挿入型ポート１２０と非挿入型コネクタ３１０が方向性を有しながら接点されなければならない場合、逆方向接点を防止することもできる。
【００２９】
したがって、前記非挿入型ポート１２０の磁力結合部材１２１によると、本体の接触面(ＰＳ)に非挿入型コネクタ２１０の接触面(ＣＳ)が面接触される場合、磁力結合部材２１１が磁力を通じて結合されるようにすることができる。
【００３０】
前記接触端子１２２は、前記接触面(ＰＳ)の内側に具備される印刷回路基板にメッキ工法によって基板に一体で形成されるか、またはピンの形状を通じて実装されることができる。
【００３１】
ここで、前記接触端子１２２は、図４に示されたところのように、前記本体の接触面(ＰＳ)に多様な個数で配置されることができるし、また、図５に示されたところのように、その端部が平面または凹溝を有する平面端子１２２ａとその端部が内部に具備されたスプリングによって弾力を有しながら印刷回路基板側に反動挿入されるか、または端部だけが弾力を有しながら印刷回路基板側で撓む弾力端子１２２ｂで構成されることができるが、前記平面端子１２２ａは接触面(ＰＳ)に形成される通孔の内部に端子が陷沒された構造または通孔の平面に対応される構造で構成されて、前記弾力端子１２２ｂは接触面(ＰＳ)に形成される通孔の外側で端子が一部突き出された構造で構成される。
【００３２】
これに、前記接触端子１２２は、クレードル２００の非挿入型コネクタ２１０の接触端子２１２が平面端子２１２ａである場合には、相互間の電気的接点が可能になるように弾力端子１２２ｂで構成されるものが望ましくて、前記接触端子２１２が弾力端子２１２ｂの場合には相互間電気的接点が可能になるように平面端子１２２ａで構成されるものが望ましい。
【００３３】
したがって、前記非挿入型ポート１２０の接触端子１２２によると、本体の接触面(ＰＳ)に非挿入型コネクタ２１０の接触面(ＣＳ)が面接触のための磁力結合部材１２１、２１１らが磁力結合時相互間弾力的に接点されて非挿入型ポート１２０と非挿入型コネクタ２１０の間の電源及びデータ伝送が可能になるようにすることができる。
【００３４】
一方、前記印刷回路基板に接触端子１２２が形成されることは、印刷回路基板を製作するメッキ過程で一体で形成されること以外にも、通電が可能などのような物質、すなわち、ピンやエッチング及びプレスなどで加工された鉄片を組立てるなど多様な方法によってなされることができる。
【００３５】
前記ガイド１２３は、非挿入型コネクタ２１０が接触面(ＰＳ)に面接触時に前記接触面(ＰＳ)に形成されて、前記磁力結合部材らの磁力結合による接触端子らの非挿入接点が意図されたどおりに正確になされるように非挿入型コネクタ２１０のガイド２１３をガイドするガイド部材であり、前記本体の接触面(ＰＳ)に多様な形状と面積を有しながら位置されることができるが、例えば、図４に示されたところのように、前記複数個の接触端子１２２を一つの群で囲むか、または、接触面(ＰＳ)の該当位置に磁力結合部材１２１を含みながら形成されるか、または、接触面(ＰＳ)の該当位置に単一または複数個で独立形成されることができる。
【００３６】
ここで、前記ガイド１２３は、接触面(ＰＳ)に突出形成される陽刻ガイドまたは陷沒形成される陰刻ガイドで形成されることができるが、クレードル２００の非挿入型コネクタ２１０のガイド２１３が陽刻ガイドである場合には相互間に挿入結合されることができるように陰刻ガイドで形成されるものが望ましくて、非挿入型コネクタ２１０のガイド２１３が陰刻ガイドである場合には相互間に挿入結合されることができるように陽刻ガイドで形成されるものが望ましくて、これを通じて前記非挿入型ポート１２０と非挿入型コネクタ２１０が方向性を有しながら接点されなければならない場合逆方向接点を防止することもできる。
【００３７】
したがって、前記非挿入型ポート１２０のガイド１２３によると、非挿入型コネクタ２１０が接触面(ＰＳ)に面接触時に前記磁力結合部材らの磁力結合による接触端子らの非挿入接点が意図されたどおりに正確になされるように非挿入型コネクタ２１０のガイド２１３をガイドすることで、非挿入型コネクタ２１０が接触部位から非意図的に分離することを防止すると共に形状によっては接触端子らが逆方向に接点されることも防止することができる。
【００３８】
一方、前記ガイド１２３は、前記接触面(ＰＳ)に前記非挿入型コネクタ２１０の接触面(ＣＳ)側のケース(Ｃ)の外形に対応されるように具備されることもできて、これを通じて、前記非挿入型コネクタ２１０の接触面(ＣＳ)が非挿入型ポート１２０の接触面(ＰＳ)に正確に位置されるようにすることができる。
【００３９】
したがって、前記非挿入型ポート１２０によると、クレードル２００の非挿入型コネクタ２１０が非挿入型ポート１２０にガイドされながら磁力によって面接触されると共に端子らが非挿入接点されるようにすることで、非挿入型コネクタ２１０との容易な連結及び分離ができるようにして、また、これを通じて、従来のような端子らの不安定な接続及び構成部らの破損を防止することができる。
【００４０】
一方、本発明の望ましい実施例によるクレードル２００は、接触面(ＴＳ)には前記非挿入型コネクタ２１０に内部的に連結されて、電源及びデータの伝送が可能になるように構成される非挿入型ポート２２０が構成されて、前記非挿入型ポート２２０にマウス、プリンターなどのような周辺器機３００の非挿入型コネクタ３１０が磁力を利用して非挿入接点される。
【００４１】
ここで、前記非挿入型ポート２２０は、それぞれ電源用ポート、ＵＳＢ用ポート、ＨＤＭＩ（登録商標）用ポート、有線モデム用ポート、スピーカー(または、イヤホン)用ポートなどのような多様なポートを有する場合、前記ポートらに対応されて、クレードル２００の接触面(ＴＳ)に周辺器機３００の非挿入型コネクタ３１０が磁力を通じて面接触されるようにする連結ポートであり、クレードル２００の接触面(ＴＳ)に形成されて非挿入型コネクタ３１０の接触面(IＳ)に具備された磁力結合部材３１１と磁力を通じて面接触結合されるようにする磁力結合部材２２１、前記接触面(ＴＳ)に形成されて前記磁力結合部材らの磁力結合時に非挿入型コネクタ３１０の接触端子３１２が非挿入接点されるようにして相互間の電源及びデータが伝送されるようにする接触端子２２２及び前記接触面(ＴＳ)に形成されて、前記磁力結合部材らの磁力結合による接触端子らの非挿入接点が正確になされるように非挿入型コネクタ３１０のガイド３１３がガイドされるようにするガイド２２３を含む。
【００４２】
一方、前記本発明のクレードル２００の非挿入型ポート２２０に連結される周辺器機３００の非挿入型コネクタ３１０は、前記非挿入型ポート２２０に磁力を通じて面接触されるようにするコネクタであり、ケース(Ｃ)の接触面(IＳ)に形成されて前記磁力結合部材２２１に磁力結合される磁力結合部材３１１、前記接触面(IＳ)に形成されて、前記磁力結合部材らの磁力結合時に前記接触端子２２２に非挿入接点されて、相互間の電源及びデータが伝送されるようにする接触端子３１２及び前記接触面(IＳ)に形成されて、前記磁力結合部材らの磁力結合による接触端子らの非挿入接点が正確になされるように前記ガイド２２３にガイドされるガイド３１３を含む。
【００４３】
ここで、前記クレードル２００の非挿入型ポート２２０と周辺機器用非挿入型コネクタ３１０は、それぞれ上述したタブレットＰＣ１００の非挿入型ポート１２０とクレードル２００の非挿入型コネクタ２１０に同一類似に構成されるものが望ましいので、これに対する詳細な説明は略することにする。
【００４４】
したがって、前記非挿入型ポート２２０の磁力結合部材２２１、接触端子２２２及びガイド２２３と非挿入型コネクタ３１０の磁力結合部材３１１、接触端子３１２及びガイド３１３は、相互間対向される構成、すなわち、磁性部材と被磁性部材、平面端子と弾力端子及び陽刻ガイドと陰刻ガイドがそれぞれいずれか一つの構成に対向されるように構成されることで、非挿入型ポート２２０と非挿入型コネクタ３１０の相互間に対向結合されるようにして、クレードル２００と周辺器機３００との間の電源及びデータ伝送がなされるようにすることが望ましい。
【００４５】
この時、前記磁力結合部材２２１、３１１は、非挿入型ポート２２０と非挿入型コネクタ３１０にすべて構成されるか、またはいずれか一つのみに構成されても関係ない。
【００４６】
また、前記非挿入型コネクタ３１０は、該当周辺器機３００の既存コネクタの端子に別に接続されるジェンダータイプで構成されるか、または該当周辺器機３００に電線端部に既存コネクタの代りに直接連結される一体タイプで構成されることができるが、前記ジェンダータイブで構成される場合に既存の端子を完全に収納して囲むか、または既存の端子がケース(Ｃ)の後側面に挿入されることのように多様に構成されることができるし、ジェンダータイプである場合に紛失を防止するためにケース(Ｃ)に周辺器機３００の電線などに掛けがねなどのような紛失防止手段を通じて連結されるものが望ましい。
【００４７】
一方、本発明においては、前記それぞれの非挿入型コネクタ２１０、３１０が非挿入型ポート１２０、２２０に面接触される場合、それぞれのガイドらによって接触面らがガイドされるようにしているが、前記磁力結合部材らの陽刻と陰刻を通じてこれに対する機能で遂行されることができることは当業者には自明な事実であるので、これに対する詳細な説明は略することにする。
【００４８】
以下、本発明の望ましい実施例による非挿入型ポート１２０を有するタブレットＰＣ１００とこれに連結されるクレードル２００の作用と効果に対して説明すれば次のようである。
【００４９】
先ず、タブレットＰＣ１００に形成された非挿入型ポート１２０がクレードル２００の非挿入型コネクタ２１０に面接触するようになれば、前記非挿入型コネクタ２１０のガイド２１３は非挿入型ポート１２０のガイド１２３にガイドされる動作によってそれぞれに構成された磁力結合部材１２１、２１１らは、相互間磁力結合するようになって、これによって、それぞれに構成された接触端子１２２、２１２が相互間電気的接点されることで、非挿入型コネクタ２１０との容易な連結及び分離ができるようにして、また、これを通じて、従来のような長年の使用によって接触端子らが不安定な接続状態を有するようになることによって発生される問題点を防止することができる。
【００５０】
一方、クレードル２００に形成された非挿入型ポート２２０に周辺機器用非挿入型コネクタ３１０が面接触するようになって、電源及びデータの伝送を可能にさせることは前記タブレットＰＣ１００に形成された非挿入型ポート１２０がクレードル２００の非挿入型コネクタ２１０に面接触するようになって、電源及びデータの伝送を可能にさせる方式と同一または類似であり、これを通じて、非挿入型コネクタ３１０との容易な連結及び分離ができるようにして、また、従来のような長年の使用によって接触端子らが不安定な接続状態を有するようになることによって発生される問題点を防止することができる。
【００５１】
これに、前述したところのような本発明によると、タブレットＰＣに開放型ポートの代りに非挿入型ポートが構成されて、クレードルの非挿入型コネクタが磁力を利用して前記非挿入型ポートに非挿入接点されることで、タブレットＰＣにクレードルの連結がより簡便で堅固で安定的な接触状態を維持するようにすることができる。
【００５２】
また、タブレットＰＣの非挿入型ポートが従来の開放型ポートと異なり該当接触部位に密閉感を有しながら具備されることで、タブレットＰＣの審美感を向上させると共に開放型ポートを通じて異物が挿入されることを防止することができる。
【００５３】
また、クレードルの非挿入型ポートに周辺器機の非挿入型コネクタが磁力を利用して非挿入接点されることで、クレードルに周辺器機の連結がより簡便で堅固で安定的な接触状態を維持できるようにすることができる。
【産業上の利用可能性】
【００５４】
前述した本発明によると、タブレットＰＣに開放型ポートの代りに非挿入型ポートが構成されて、クレードルの非挿入型コネクタが磁力を利用して前記非挿入型ポートに非挿入接点されることで、タブレットＰＣにクレードルの連結がより簡便で堅固で安定的な接触状態を維持できるようにすることができる。
【００５５】
また、タブレットＰＣの非挿入型ポートが従来の開放型ポートと異なり該当接触部位に密閉感を有しながら具備されることで、タブレットＰＣの審美感を向上させると共に開放型ポートを通じて異物が挿入されることを防止することができる。
【００５６】
また、クレードルの非挿入型ポートに周辺器機の非挿入型コネクタが磁力を利用して非挿入接点されることで、クレードルに周辺器機の連結がより簡便で堅固で安定的な接触状態を維持できるようにすることができる。
【図１】
2015505625.tif 000003
【図２】
2015505625.tif 000004
【図３】
2015505625.tif 000005
【図４（ａ）】
2015505625.tif 000006
【図４（ｂ）】
2015505625.tif 000007
【図４（ｃ）】
2015505625.tif 000008
【図４（ｄ）】
2015505625.tif 000009
【図４（ｅ）】
2015505625.tif 000010
【図４（ｆ）】
2015505625.tif 000011
【図４（ｇ）】
2015505625.tif 000012
【図５】
2015505625.tif 000013
【国際調査報告】
2015505625.tif 000014
2015505625.tif 000015
2015505625.tif 000016
2015505625.tif 000017